(57)【要約】【課題】  本発明の解決課題は、従来にない新規な美観を備え、高級感や重厚感が損なわれず、指紋跡や水垢等の汚れが目立ちにくい建築用部材を提供することにある。【解決手段】  本発明の建築用部材は、扉に取り付けるハンドル、トイレットペーパーホルダー、ヒンジ部材といった各種建築用部材の表面の全部又は一部に、グラデーション模様が施されたものである。本発明の建築用部材は、水道の蛇口、各種蝶番、つまみハンドル、引手といった各種建築用部材に適用することができる。【選択図】図１
2020169569.tif 000002
【特許請求の範囲】
【請求項１】
建築物に使用される建築用部材において、
前記建築用部材の表面の全部又は一部にグラデーション模様が施された、
ことを特徴とする建築用部材。
【発明の詳細な説明】
【技術分野】
【０００１】
本発明は、扉に取り付けるハンドル、トイレットペーパーホルダー、ヒンジ部材等の建築用部材に関する。
【背景技術】
【０００２】
住居をはじめとする建築物には、扉に取り付けるハンドルやトイレットペーパーホルダー、ヒンジ部材など、様々な建築用部材が用いられている。これら建築用部材は美観性の高いものが需要者に好まれる傾向にあることから、美観性を高める工夫を凝らした様々な建築用部材が提案されている。例えば、扉に取り付けるレバーハンドルとして、把手部に皮革を巻いたもの（特許文献１）や、光反射面を備えた芯棒に化粧カバーを被せて化粧カバーにおける着色カラーの濃淡度又は明暗度が変化するようにしたもの（特許文献２）などが提案されている。
【先行技術文献】
【特許文献】
【０００３】
【特許文献１】特開２０１３−１９４４４４号公報
【特許文献２】特許第４５８３３９５号公報
【発明の概要】
【発明が解決しようとする課題】
【０００４】
本発明の解決課題は、従来にない新規な美観を備え、高級感や重厚感が損なわれず、指紋跡や水垢等の汚れが目立ちにくい建築用部材を提供することにある。
【課題を解決するための手段】
【０００５】
本発明の建築用部材は、表面の全部又は一部にグラデーションによる模様（本願において「グラデーション模様」という）が施されたものである。なお、本願においてグラデーションとは、色や濃淡を連続した階調で表現すること及びそのように表現された部分をいう。
【発明の効果】
【０００６】
本発明の建築用部材は、表面の全部又は一部にグラデーション模様を施してあるため、これまでの建築用部材にはない美観を備え、高級感や重厚感が損なわれず、指紋跡や水垢といった汚れが目立ちにくい。
【図面の簡単な説明】
【０００７】
【図１】本発明の建築用部材の第一の例を示す説明図。
【図２】本発明の建築用部材の第二の例を示す説明図。
【図３】本発明の建築用部材の第三の例を示す説明図。
【図４】本発明の建築用部材の第四の例を示す説明図。
【発明を実施するための形態】
【０００８】
（実施形態１）
本発明の建築用部材の第一の実施形態について図１を参照して説明する。この実施形態は、建築用部材が扉に取り付けて使用される金属製のレバーハンドル１の場合の例である。説明の便宜上、以下では、レバーハンドル１の扉への取付け側を根元側と、レバーハンドル１の根元側と反対側（持ち手部の端部側）を先端側として説明する。
【０００９】
この実施形態のレバーハンドル１は、平面視Ｌ字状の持ち手部１ａと当該持ち手部１ａの根元側に配置された座金１ｂを備えている。レバーハンドル１の表面には、先端側から根元側へ向けて次第に色が薄くなるグラデーション模様が施されている。この実施形態では、一色の濃淡によってグラデーションを表現しているが、二色以上を用いてグラデーションを表現することもできる。図１の例では、持ち手部１ａの先端側から持ち手部１ａの中央付近までの範囲にグラデーション模様を施してあり、持ち手部１ａのそれ以外の部分と座金１ｂにはグラデーション模様を施していない。グラデーション部分は、持ち手部１ａの先端側が最も濃く、中央付近に向けて次第に薄くなるようにしてある。
【００１０】
前記グラデーションのパターンは一例であり、これ以外のパターンであってもよい。例えば、持ち手部１ａの中央付近から先端側に向けて又は中央付近から先端側及び根元側の双方に向けて次第に薄くなるようなパターンや、根元側から中央付近に向けて次第に薄くなるようなパターンなどとすることもできる。
【００１１】
レバーハンドル１の表面にグラデーション模様を施すことによって、デザイン性に優れたレバーハンドル１として利用することができる。また、全体を塗装するのではなく鍍金部分を残しておくことで、鍍金仕上げにより表現される高級感や重厚感も維持することができる。さらに、指紋跡や付着した水によって生じる水垢等のレバーハンドル表面に付着する汚れを目立たなくさせる効果もある。この効果は、使用者が手を触れやすい持ち手部１ａにグラデーション模様を施した場合に特に顕著である。
【００１２】
レバーハンドル１は、例えば、黄銅や亜鉛等の金属製、アルミニウム製、ステンレス製、ＡＢＳ樹脂製、これらの混合材製等とすることができる。また、表面は、サテン、ニッケル、サテンニッケル、クロムの各種金属で鍍金処理することができる。
【００１３】
（実施形態２）
本発明の第二の実施形態について図２を参照して説明する。この実施形態は、建築用部材が金属製のコ字状のバー（本願において「バー部材」という）２の場合の例である。このバー部材２は、例えば、廊下やトイレ、浴室、洗面所などに取り付けてタオル掛けとして使用するほか、壁面や扉に適宜の向きで取り付けて、手摺りや取っ手などとしても使用することができる。
【００１４】
一例として図２に示すバー部材２は、長尺部２ａの長手方向両端側が直角又は略直角に折れ曲がった平面視コ字状の部材である。バー部材の長尺部２ａの表面には、その中央付近から両外側に向けて次第に色が薄くなるグラデーション模様が施されている。この実施形態では、一色の濃淡によってグラデーション模様を表現しているが、二色以上を用いてグラデーション模様を表現することもできる。図２の例では、使用者が触れる機会の多い長尺部の２ａ中央付近にのみグラデーション模様を施してあり、それ以外の部分と折り返し部分２ｂにはグラデーション模様を施していない。前記グラデーション模様のパターンは一例であり、これ以外のパターンであってもよい。
【００１５】
実施形態１の場合同様、長尺部２ａの表面にグラデーション模様を施すことによって、デザイン性に優れたバー部材２として利用することができる。また、全体を塗装するのではなく鍍金部分を残しておくことで、鍍金仕上げにより表現される高級感や重厚感も維持することができる。さらに、指紋跡や水垢等の汚れを目立たなくさせる効果もある。
【００１６】
バー部材２は、例えば、黄銅や亜鉛等の金属製、アルミニウム製、ステンレス製、ＡＢＳ樹脂製、これらの混合材製等とすることができる。また、表面は、サテン、ニッケル、サテンニッケル、クロムの各種金属で鍍金処理することができる。
【００１７】
（実施形態３）
本発明の第三の実施形態について図３を参照して説明する。この実施形態は、建築用部材がガラス扉を保持する金属製のヒンジ部材（グレビティヒンジ）３の場合の例である。このヒンジ部材３は、例えば、浴室のガラス扉（図示しない）の開閉用の蝶番として使用されるものである。
【００１８】
一例として図３に示すヒンジ部材３は、固定部材３１と可動部材３２を備えている。固定部材３１は、枠材に固定する固定プレート３１ａと当該固定プレート３１ａの表面に設けられた筒状部３１ｂを備えている。筒状部３１ｂには、上向きに突出する軸部材（図示しない）が設けられている。可動部材３２は、ガラス扉を保持する保持部３２ａと当該保持部３２ａの一面側に設けられた筒状被せ部３２ｂを備えている。保持部３２ａは二枚の保持片３２ｘ、３２ｙで構成されている。可動部材３２は、筒状被せ部３２ｂを固定部材３１の軸部材に被せることで、固定部材３１に回転可能に取り付けられている。図３に示すヒンジ部材３はいわゆる右勝手のものであるが、ヒンジ部材３は左勝手のものであってもよい。
【００１９】
この実施形態では、二枚の保持片３２ｘ、３２ｙのうち一方の保持片（図中手前側の保持片）３２ｘの表面には、保持片３２ｘの幅方向一端側の端部から幅方向中央付近に向けて次第に色が薄くなるグラデーション模様が施されている。この実施形態では、一色の濃淡によってグラデーション模様を表現しているが、二色以上を用いてグラデーション模様を表現することもできる。前記グラデーション模様のパターンは一例であり、これ以外のパターンであってもよい。
【００２０】
実施形態１や２の場合同様、保持片３２ｘの表面にグラデーション模様を施すことによって、デザイン性に優れたヒンジ部材３として利用することができる。また、全体を塗装するのではなく鍍金部分を残しておくことで、鍍金仕上げにより表現される高級感や重厚感も維持することができる。さらに、指紋跡や水垢等の汚れを目立たなくさせる効果もある。
【００２１】
ヒンジ部材３は、例えば、黄銅や亜鉛等の金属製、アルミニウム製、ステンレス製、ＡＢＳ樹脂製、これらの混合材製等とすることができる。また、表面は、サテン、ニッケル、サテンニッケル、クロムの各種金属で鍍金処理することができる。
【００２２】
（実施形態４）
本発明の第四の実施形態について図４を参照して説明する。この実施形態は、建築用部材が金属製のトイレットペーパーホルダー４の場合の例である。トイレットペーパーホルダー４は、従来のトイレットペーパーホルダーと同様、トイレ内の壁に取り付けて使用される。説明の便宜上、以下では、トイレットペーパーホルダーを壁に固定した場合の固定側を奥側と、反対側を先端側として説明する。
【００２３】
図４に示すトイレットペーパーホルダー４は、ペーパーセット部４ａと押さえ蓋４ｂを備えている。ペーパーセット部４ａにはトイレットペーパーの芯に挿通する支持棒４ｘが設けられている。この実施形態の押さえ蓋４ｂは平面視方形状の薄板であり、ペーパーセット部４ａの支持棒４ｘセットされたトイレットペーパー（図示しない）に先端が当たるように、先端側を湾曲させてある。
【００２４】
押さえ蓋４ｂの表面には、その先端側から中央付近に向けて次第に色が薄くなるグラデーション模様が施されている。この実施形態では、一色の濃淡によってグラデーション模様を表現しているが、二色以上を用いてグラデーション模様を表現することもできる。実施形態１から３と同様、この実施形態でも、使用者が触れる機会の多い先端側から中央付近にのみグラデーション模様を施してあり、それ以外の部分と取付け部にはグラデーション模様を施していない。前記グラデーション模様のパターンは一例であり、これ以外のパターンであってもよい。
【００２５】
実施形態１から３の場合同様、押さえ蓋４ｂの表面にグラデーション模様を施すことで、デザイン性に優れたトイレットペーパーホルダー４として利用することができる。また、全体を塗装するのではなく鍍金部分を残しておくことで、鍍金仕上げにより表現される高級感や重厚感も維持することができる。さらに、指紋跡や水垢等の汚れを目立たなくさせる効果もある。
【００２６】
トイレットペーパーホルダー４は、例えば、黄銅や亜鉛等の金属製、アルミニウム製、ステンレス製、ＡＢＳ樹脂製、これらの混合材製等とすることができる。また、表面は、サテン、ニッケル、サテンニッケル、クロムの各種金属で鍍金処理することができる。
【００２７】
（その他の実施形態）
前記実施形態で説明した建築用部材は一例であり、本願の建築用部材にはこれら以外のものも含まれる。いずれの場合も、建築用部材の表面の全部又は一部にグラデーション模様を施すのが好ましい。特に、使用者が頻繁に触れる場所や水などが付着しやすい場所等にグラデーション模様を施すのが好ましい。なお、前記実施形態では、建築用部材自体を着色する場合を一例としているが、グラデーション模様を印刷したシール等を建築用部材の表面に貼付するようにしてもよい。
【産業上の利用可能性】
【００２８】
本発明の建築用部材は、前記実施形態に示すレバーハンドル１やバー部材２、ヒンジ部材３、押さえ蓋４ｂのほか、水道の蛇口、各種蝶番、つまみハンドル、引手といった各種建築用部材に適用することができる。
【符号の説明】
【００２９】
１      レバーハンドル
１ａ    持ち手部
１ｂ    座金
２      バー部材
２ａ    長尺部
２ｂ    折り返し部分
３      ヒンジ部材（グレビティヒンジ）
３１    固定部材
３１ａ  固定プレート
３１ｂ  筒状部
３２    可動部材
３２ａ  保持部
３２ｂ  筒状被せ部
３２ｘ、３２ｙ  保持片
４      トイレットペーパーホルダー
４ａ    ペーパーセット部
４ｂ    押さえ蓋
４ｘ    支持棒
【図１】
2020169569.tif 000003
【図２】
2020169569.tif 000004
【図３】
2020169569.tif 000005
【図４】
2020169569.tif 000006
【手続補正書】
【提出日】令和2年8月3日(2020.8.3)
【手続補正１】
【補正対象書類名】明細書
【補正対象項目名】全文
【補正方法】変更
【補正の内容】
【発明の詳細な説明】
【技術分野】
【０００１】
本発明は、扉に取り付けるハンドル、トイレットペーパーホルダー、ヒンジ部材等の金属製建築用部材に関する。
【背景技術】
【０００２】
住居をはじめとする建築物には、扉に取り付けるハンドルやトイレットペーパーホルダー、ヒンジ部材など、様々な建築用部材が用いられている。これら建築用部材は美観性の高いものが需要者に好まれる傾向にあることから、美観性を高める工夫を凝らした様々な建築用部材が提案されている。例えば、扉に取り付けるレバーハンドルとして、把手部に皮革を巻いたもの（特許文献１）や、光反射面を備えた芯棒に化粧カバーを被せて化粧カバーにおける着色カラーの濃淡度又は明暗度が変化するようにしたもの（特許文献２）などが提案されている。
【先行技術文献】
【特許文献】
【０００３】
【特許文献１】特開２０１３−１９４４４４号公報
【特許文献２】特許第４５８３３９５号公報
【発明の概要】
【発明が解決しようとする課題】
【０００４】
本発明の解決課題は、従来にない新規な美観を備え、高級感や重厚感が損なわれず、指紋跡や水垢等の汚れが目立ちにくい金属製建築用部材を提供することにある。
【課題を解決するための手段】
【０００５】
本発明の金属製建築用部材は、金属製又は金属若しくは樹脂の表面に鍍金処理された金属製の建築用部材の表面の一部に、着色によるグラデーション模様（グラデーションによる模様。本願において同じ。）が施されたものである。なお、本願においてグラデーションとは、色や濃淡を連続した階調で表現すること及びそのように表現された部分をいう。
【発明の効果】
【０００６】
本発明の金属製建築用部材は、表面の一部にグラデーション模様を施してあるため、これまでの建築用部材にはない美観を備え、高級感や重厚感が損なわれず、指紋跡や水垢といった汚れが目立ちにくい。
【図面の簡単な説明】
【０００７】
【図１】本発明の金属製建築用部材の第一の例を示す説明図。
【図２】本発明の金属製建築用部材の第二の例を示す説明図。
【図３】本発明の金属製建築用部材の第三の例を示す説明図。
【図４】本発明の金属製建築用部材の第四の例を示す説明図。
【発明を実施するための形態】
【０００８】
（実施形態１）
本発明の金属製建築用部材の第一の実施形態について図１を参照して説明する。この実施形態は、金属製建築用部材が扉に取り付けて使用される金属製のレバーハンドル１の場合の例である。説明の便宜上、以下では、レバーハンドル１の扉への取付け側を根元側１０、根元側１０を扉へ取り付けると扉の外に突出する部分（突出部）を持ち手部１ａとして説明する。
【０００９】
この実施形態のレバーハンドル１は、根元側１０と持ち手部１ａが平面視Ｌ字状となっており、当該持ち手部１ａの根元側１０に座金１ｂがある。レバーハンドル１の持ち手部１ａの表面には、その先端側２０から根元側１０へ向けて次第に色が薄くなるグラデーション模様３０が施されている。この実施形態では、一色の濃淡によってグラデーションを表現しているが、二色以上を用いてグラデーションを表現することもできる。図１の例では、持ち手部１ａの先端側２０から持ち手部１ａの中央付近４０までの範囲にグラデーション模様３０を施してあり、持ち手部１ａのそれ以外の部分と座金１ｂにはグラデーション模様を施していない。グラデーション部分は、持ち手部１ａの先端側２０が最も濃く、中央付近４０に向けて次第に薄くなるようにしてある。
【００１０】
前記グラデーションのパターンは一例であり、これ以外のパターンであってもよい。例えば、持ち手部１ａの中央付近４０から先端側２０に向けて又は中央付近４０から先端側２０及び根元側１０の双方に向けて次第に薄くなるようなパターンや、根元側１０から中央付近４０に向けて次第に薄くなるようなパターンなどとすることもできる。
【００１１】
レバーハンドル１の表面にグラデーション模様３０を施すことによって、デザイン性に優れたレバーハンドル１として利用することができる。また、全体を塗装するのではなく鍍金部分を残しておくことで、鍍金仕上げにより表現される高級感や重厚感も維持することができる。さらに、指紋跡や付着した水によって生じる水垢等のレバーハンドル表面に付着する汚れを目立たなくさせる効果もある。この効果は、使用者が手を触れやすい持ち手部１ａにグラデーション模様３０を施した場合に特に顕著である。
【００１２】
レバーハンドル１は、例えば、黄銅や亜鉛等の金属製、アルミニウム製、ステンレス製、ＡＢＳ樹脂製、これらの混合材製等とすることができる。また、表面には、サテン、ニッケル、サテンニッケル、クロムの各種金属で鍍金処理することができる。
【００１３】
（実施形態２）
本発明の第二の実施形態について図２を参照して説明する。この実施形態は、金属製建築用部材が金属製のコ字状のバー（本願において「バー部材」という）２の場合の例である。このバー部材２は、例えば、廊下やトイレ、浴室、洗面所などに取り付けてタオル掛けとして使用するほか、壁面や扉に適宜の向きで取り付けて、手摺りや取っ手などとしても使用することができる。
【００１４】
一例として図２に示すバー部材２は長尺部２ａの両端側が直角又は略直角に折れ曲がって根元側２ｂが形成されており、平面視コ字状の部材である。バー部材２の長尺部２ａの表面には、その中央付近２ｃから両外側の根元側２ｂに向けて次第に色が薄くなるグラデーション模様３０が施されている。この実施形態では、一色の濃淡によってグラデーション模様を表現しているが、二色以上を用いてグラデーション模様を表現することもできる。図２の例では、使用者が触れる機会の多い長尺部２ａの中央付近２ｃにのみグラデーション模様３０を施してあり、それ以外の部分と根元側２ｂにはグラデーション模様を施していない。前記グラデーション模様のパターンは一例であり、これ以外のパターンであってもよい。
【００１５】
実施形態１の場合と同様に、長尺部２ａの表面にグラデーション模様３０を施すことによって、デザイン性に優れたバー部材２として利用することができる。また、長尺部２ａの全体ではなく鍍金部分を残しておくことで、鍍金仕上げにより表現される高級感や重厚感も維持することができる。さらに、指紋跡や水垢等の汚れを目立たなくさせる効果もある。
【００１６】
バー部材２は、例えば、黄銅や亜鉛等の金属製、アルミニウム製、ステンレス製、ＡＢＳ樹脂製、これらの混合材製等とすることができる。また、表面は、サテン、ニッケル、サテンニッケル、クロムの各種金属で鍍金処理することができる。
【００１７】
（実施形態３）
本発明の第三の実施形態について図３を参照して説明する。この実施形態は、金属製建築用部材がガラス扉を保持する金属製のヒンジ部材（グレビティヒンジ）３の場合の例である。このヒンジ部材３は、例えば、浴室のガラス扉（図示しない）の開閉用の蝶番として使用されるものである。
【００１８】
一例として図３に示すヒンジ部材３は、固定部材３１と、固定部材３１が浴室の壁面等に固定されると壁面の外側に突出する可動部材（突出部）３２を備えている。固定部材３１は、枠材、例えば、浴室の壁面に固定する固定プレート３１ａと当該固定プレート３１ａの表面に設けられた筒状部３１ｂを備えている。筒状部３１ｂには、上向きに突出する軸部材（図示しない）が設けられている。可動部材３２は、ガラス扉を保持する保持部３２ａと当該保持部３２ａの一面側に設けられた筒状被せ部（根元側）３２ｂを備えている。保持部３２ａは二枚の保持片３２ｘ、３２ｙで構成されている。可動部材３２は、筒状被せ部３２ｂを固定部材３１の軸部材に被せることで、固定部材３１に回転可能に取り付けられている。図３に示すヒンジ部材３はいわゆる右勝手のものであるが、ヒンジ部材３は左勝手のものであってもよい。
【００１９】
この実施形態では、二枚の保持片３２ｘ、３２ｙのうち一方の保持片（図中手前側の保持片）３２ｘの表面には、保持片３２ｘの幅方向一端側の端部３２ｚから幅方向中央付近に向けて次第に色が薄くなるグラデーション模様３０が施されている。この実施形態では、一色の濃淡によってグラデーション模様を表現しているが、二色以上を用いてグラデーション模様を表現することもできる。前記グラデーション模様のパターンは一例であり、これ以外のパターンであってもよい。
【００２０】
実施形態１や２の場合と同様に、保持片３２ｘの表面にグラデーション模様３０を施すことによって、デザイン性に優れたヒンジ部材３として利用することができる。また、全体を塗装するのではなく鍍金部分を残しておくことで、鍍金仕上げにより表現される高級感や重厚感も維持することができる。さらに、指紋跡や水垢等の汚れを目立たなくさせる効果もある。
【００２１】
ヒンジ部材３は、例えば、黄銅や亜鉛等の金属製、アルミニウム製、ステンレス製、ＡＢＳ樹脂製、これらの混合材製等とすることができる。また、表面は、サテン、ニッケル、サテンニッケル、クロムの各種金属で鍍金処理することができる。
【００２２】
（実施形態４）
本発明の第四の実施形態について図４を参照して説明する。この実施形態は、金属製建築用部材が金属製のトイレットペーパーホルダー４の場合の例である。トイレットペーパーホルダー４は、従来のトイレットペーパーホルダーと同様、トイレ内の壁に取り付けて使用される。説明の便宜上、以下では、トイレットペーパーホルダーを壁に固定した場合の固定側を根元側と、反対側を先端側として説明する。
【００２３】
図４に示すトイレットペーパーホルダー４は、ペーパーセット部４ａと押さえ蓋４ｂを備えている。ペーパーセット部４ａにはトイレットペーパーの芯に挿通する支持棒４ｘが設けられている。この実施形態の押さえ蓋４ｂは平面視方形状の薄板であり、ペーパーセット部４ａの支持棒４ｘにセットされたトイレットペーパー（図示しない）に先端が当たるように、先端側を湾曲させてある。
【００２４】
押さえ蓋４ｂはペーパーセット部４ａに取り付ける根元側４ｃと、根元側４ｃをペーパーセット部４ａに取り付けるとペーパーセット部４ａの上に突出する突出部４ｄを備えている。突出部４ｄの表面には、その先端側４ｅから中央付近４ｆに向けて次第に色が薄くなるグラデーション模様３０が施されている。この実施形態では、一色の濃淡によってグラデーション模様を表現しているが、二色以上を用いてグラデーション模様を表現することもできる。実施形態１から３と同様、この実施形態でも、使用者が触れる機会の多い先端側から中央付近にのみグラデーション模様を施してあり、それ以外の部分と取付け部にはグラデーション模様を施していない。前記グラデーション模様のパターンは一例であり、これ以外のパターンであってもよい。
【００２５】
実施形態１から３の場合と同様に、押さえ蓋４ｂの突出部４ｄの表面にグラデーション模様３０を施すことで、デザイン性に優れたトイレットペーパーホルダー４として利用することができる。また、全体にグラデーション模様３０を施すのではなく、鍍金部分を残しておくことで、鍍金仕上げにより表現される高級感や重厚感も維持することができる。さらに、指紋跡や水垢等の汚れを目立たなくさせる効果もある。
【００２６】
トイレットペーパーホルダー４は、例えば、黄銅や亜鉛等の金属製、アルミニウム製、ステンレス製、ＡＢＳ樹脂製、これらの混合材製等とすることができる。また、表面は、サテン、ニッケル、サテンニッケル、クロムの各種金属で鍍金処理することができる。
【００２７】
（その他の実施形態）
前記実施形態で説明した金属製建築用部材は一例であり、本願の金属製建築用部材にはこれら以外のものも含まれる。いずれの場合も、金属製建築用部材の表面の全部又は一部にグラデーション模様を施すのが好ましい。特に、使用者が頻繁に触れる場所や水などが付着しやすい場所等にグラデーション模様を施すのが好ましい。なお、前記実施形態では、建築用部材自体を着色する場合を一例としているが、グラデーション模様を印刷したシール等を金属製建築用部材の表面に貼付するようにしてもよい。
【産業上の利用可能性】
【００２８】
本発明の金属製建築用部材は、前記実施形態に示すレバーハンドル１やバー部材２、ヒンジ部材３、押さえ蓋４ｂのほか、水道の蛇口、各種蝶番、つまみハンドル、引手といった各種建築用部材に適用することができる。
【符号の説明】
【００２９】
１      レバーハンドル
１ａ    持ち手部
１ｂ    座金
２      バー部材
２ａ    長尺部
２ｂ    根元側
３      ヒンジ部材（グレビティヒンジ）
４      トイレットペーパーホルダー
４ａ    ペーパーセット部
４ｂ    押さえ蓋
４ｃ （押さえ蓋の）根元側
４ｄ 突出部
４ｅ （押さえ蓋の）先端側
４ｆ （押さえ蓋の）中央付近
４ｘ    支持棒
１０    （レバーハンドルの）根元側
２０    （レバーハンドルの）先端側
３０ グラデーション模様
３１    固定部材
３１ａ  固定プレート
３１ｂ  筒状部
３２    可動部材（突出部）
３２ａ  保持部（根元側）
３２ｂ  筒状被せ部
３２ｘ、３２ｙ  保持片
３２ｚ （保持片の幅方向一端側の）端部
４０ 中央付近
【手続補正２】
【補正対象書類名】特許請求の範囲
【補正対象項目名】全文
【補正方法】変更
【補正の内容】
【特許請求の範囲】
【請求項１】
建築部材に取り付ける金属製建築用部材であり、
前記金属製建築用部材は根元側を建築部材に取り付けると建築部材の外側に突出する突出部を備えており、
前記突出部の根元側から離れた領域の表面に着色によるグラデーション模様があり、根元側の表面にグラデーション模様がなく、
前記着色によるグラデーション模様は、突出部のうち根元側から離れた領域が濃く根元側が次第に薄くなるか、又は根元側から離れた領域が薄く根元側が次第に濃くなるものである、
ことを特徴とする金属製建築用部材。
【請求項２】
請求項１記載の金属製建築用部材において、
突出部の根元側が座金を備えたもの、又は、建築部材に取り付ける座金に取り付け可能である、
ことを特徴とする金属製建築用部材。
【請求項３】
請求項１又は請求項２記載の金属製建築用部材において、
金属製建築用部材がレバーハンドルであり、
前記レバーハンドルは根本側の先方に突出部を備え、当該根元側に座金を備えたもの、又は建築部材に取り付けた座金に根元側を取り付け可能なものであり、
前記突出部にグラデーション模様がある、
ことを特徴とする金属製建築用部材。
【請求項４】
請求項１又は請求項２記載の金属製建築用部材において、
金属製建築用部材がヒンジ部材であり、
ヒンジ部材は建築部材を取り付けることができる固定部材と、固定部材の軸廻り方向に回動可能なるように当該固定部材に連結された可動部材を備え、
前記可動部材は固定部材を建築部材に取り付けると建築部材の外側に突出する突出部であり、当該突出部にグラデーション模様がある、
ことを特徴する金属製建築用部材。
【請求項５】
請求項１又は請求項２記載の金属製建築用部材において、
金属製建築用部材がトイレットペーパーホルダーであり、
前記トイレットペーパーホルダーは、ペーパーセット部と、当該ペーパーセット部に上下方向に回動可能に取り付けられた押さえ蓋を備え、
前記ペーパーセット部は建築部材に取り付け可能であり、
前記押さえ蓋は、前記ペーパーセット部を建築部材に取り付けると建築部材から突出する突出部であり、当該突出部にグラデーション模様がある、
【請求項６】
請求項１又は請求項２記載の金属製建築用部材において、
金属製建築用部材がバー部材であり、
前記バー部材は建築部材に取り付ける根元側と、根元側を建築部材に取り付けると建築部材から突出する横細長の長尺部を備え、長尺部が突出部であり、当該突出部にグラデーション模様がある、
ことを特徴する金属製建築用部材。
【手続補正３】
【補正対象書類名】図面
【補正対象項目名】全図
【補正方法】変更
【補正の内容】
【図１】
2020169569.tif 000007
【図２】
2020169569.tif 000008
【図３】
2020169569.tif 000009
【図４】
2020169569.tif 000010